【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
セルロース主鎖上に不均一に分布するヒドロキシエチル基を有するヒドロキシエチルセルロース（ＨＥＣ）を含む組成物であって、非置換の三量体の比率（Ｕ３Ｒ）が０．２１より大きく、該ヒドロキシエチルのモル置換度が約１．３より大きく、約５．０未満である、上記組成物。
【請求項２】
前記ヒドロキシエチルセルロースは、非イオン性、アニオン性、および、カチオン性置換基およびそれらの混合物からなる群より選択される化学官能基を有する１種またはそれ以上の置換基でさらに修飾されている、請求項１に記載の組成物。
【請求項３】
前記置換基は、式−Ｒまたは−Ａ−Ｒを有し、式中、
Ａは、
ＣＨ２−ＣＨ（ＯＨ）、
ＣＨ２−ＣＨ（ＯＨ）−ＣＨ２、
（ＣＨ２−ＣＨ２−Ｏ）ｎ（式中、ｎは、１〜１００である）、
ＣＨ２−ＣＨ（ＯＨ）−ＣＨ２−Ｏ−（ＣＨ２−ＣＨ２−Ｏ）ｎ（式中、ｎは、１〜１００である）、および、
ＣＨ（Ｒ）−Ｃ（Ｏ）−ＣＨ２、
からなる群より選択され、
Ｒは、
ｉ）１〜３０個の炭素原子を有する非環式または環式の、飽和または不飽和の、分岐状または直鎖状の炭化水素部分、
ｉｉ）１〜３０個の炭素原子、および、１個またはそれより多い酸素、窒素、または、ケイ素原子を有する、非環式または環式の、飽和または不飽和の、分岐状または直鎖状のヘテロ原子を含む炭化水素部分、
ｉｉｉ）１〜３０個の炭素原子を有し、１個またはそれより多い芳香族炭化水素基を有する非環式または環式の、飽和または不飽和の、分岐状または直鎖状の炭化水素部分、
ｉｖ）１〜３０個の炭素原子、および、１個またはそれより多い酸素、窒素、または、ケイ素原子、および、１個またはそれより多い芳香族基を有する、非環式または環式の、飽和または不飽和の、分岐状または直鎖状のヘテロ原子を含む炭化水素部分、および、
ｖ）１〜３０個の炭素原子、および、１個またはそれより多い酸素、窒素、または、ケイ素原子を有し、さらに、１個またはそれより多い酸素、窒素、または、ケイ素基を含む１個またはそれより多いヘテロ環式芳香族基を有する、非環式または環式の、飽和または不飽和の、分岐状または直鎖状の、ヘテロ原子を含む炭化水素部分、
からなる群より選択される、請求項１に記載の組成物。
【請求項４】
前記置換基は、式Ｒ１Ｒ２Ｒ３Ｒ４Ｎ＋（Ａ−）を有し、式中、
Ｒ１は、−ＣＨ２−ＣＨＯＨ−ＣＨ２−、または、−ＣＨ２−ＣＨ２−であり、
Ｒ２、Ｒ３、Ｒ４は、それぞれ独立して、１〜２０個の炭素原子を有するアルキルまたはアリールアルキル基からなる群より選択され、および、
Ａ−は、ハロゲン化物、スルフェート、ホスファート、または、テトラフルオロボラートである、請求項１に記載の組成物。
【請求項５】
請求項１に記載のヒドロキシエチルセルロース組成物を製造するためのスラリー法であって：
Ａ）セルロース、水および塩基試薬を混合して、それらを有機溶媒中で十分な時間および十分な温度で反応させ、第一の塩基試薬セルロース混合物を形成すること、ここで、水の無水グルコース（ＡＧＵ）に対するモル比は、約５〜３５の範囲であり、（ａ）塩基試薬のＡＧＵに対するモル比は、約１．６より大きいか、または、（ｂ）塩基試薬のＡＧＵに対するモル比は、約０．４未満であり、
Ｂ）（ｉ）工程Ａにおいて（ａ）が適用される場合、塩基試薬濃度を減少させるために、塩基試薬のＡＧＵに対するモル比を約０．６以上にするのに十分な量の酸を添加して、第二の塩基試薬セルロース混合物を形成するか、または、
（ｉｉ）工程Ａにおいて（ｂ）が適用される場合、１．３未満のヒドロキシエチルのモル置換度を有するＨＥＣ生成物を形成するのに十分なエチレンオキシドを添加し、十分な温度、十分な時間で反応させ、続いて、追加の塩基試薬を添加して、塩基試薬のＡＧＵに対するモル比を約１．０より高い値に調節し、塩基試薬ＨＥＣ混合物を形成し、および、
Ｃ）続いて、Ｂ（ｉ）からの第二の塩基試薬セルロース混合物に、または、Ｂ（ｉｉ）からの塩基試薬ＨＥＣセルロース混合物に、十分な量のエチレンオキシドを添加し、それらを十分な温度および十分な時間反応させ、最終的なＨＥＣ組成物を形成すること、
を含む、上記スラリー法。
【請求項６】
ａ）パーソナルケア組成物、家庭用ケア組成物、医薬組成物、建築用組成物、乳化重合のための組成物、油田施設用の流体組成物、土木施設用の流体組成物、紙塗工用組成物、製紙用組成物、建築用塗料組成物、工業塗料組成物、印刷用インク組成物、接着剤組成物、ならびに、選鉱および回収のための組成物からなる群より選択される機能的な系、および、ｂ）請求項１に記載のヒドロキシエチルセルロース（ＨＥＣ）、または、請求項２に記載の修飾されたヒドロキシエチルセルロースを含む組成物。
【請求項７】
ラテックス、アルキド樹脂、ウレタン樹脂、シリコーン樹脂、および、エポキシ樹脂からなる群より選択される結合剤をさらに含む、請求項６に記載の組成物。
【手続補正２】
【補正対象書類名】明細書
【補正対象項目名】０１４２
【補正方法】変更
【補正の内容】
【０１４２】
特定の実施態様に関して本発明を説明したが、当然ながらこれらの実施態様は、を制限することは目的とせず、本発明の範囲および本質から逸脱することなく多くの変更や改変を施すことが可能である。
［本発明の態様］
［１］
セルロース主鎖上に不均一に分布するヒドロキシエチル基を有するヒドロキシエチルセルロース（ＨＥＣ）を含む組成物であって、非置換の三量体の比率（Ｕ３Ｒ）が０．２１より大きく、該ヒドロキシエチルのモル置換度が約１．３より大きく、約５．０未満である、上記組成物。
［２］
前記ヒドロキシエチルセルロースは、非イオン性、アニオン性、および、カチオン性置換基およびそれらの混合物からなる群より選択される化学官能基を有する１種またはそれ以上の置換基でさらに修飾されている、１に記載の組成物。
［３］
前記置換基は、エーテル、エステルまたはウレタン結合部分を介してヒドロキシエチルセルロース主鎖に結合している、２に記載の組成物。
［４］
存在する前記置換基は、非イオン性の化学官能性を有する、２に記載の組成物。
［５］
前記置換基は、式−Ｒまたは−Ａ−Ｒを有し、式中、
Ａは、
ＣＨ２−ＣＨ（ＯＨ）、
ＣＨ２−ＣＨ（ＯＨ）−ＣＨ２、
（ＣＨ２−ＣＨ２−Ｏ）ｎ（式中、ｎは、１〜１００である）、
ＣＨ２−ＣＨ（ＯＨ）−ＣＨ２−Ｏ−（ＣＨ２−ＣＨ２−Ｏ）ｎ（式中、ｎは、１〜１００である）、および、
ＣＨ（Ｒ）−Ｃ（Ｏ）−ＣＨ２、
からなる群より選択され、
Ｒは、
ｉ）１〜３０個の炭素原子を有する非環式または環式の、飽和または不飽和の、分岐状または直鎖状の炭化水素部分、
ｉｉ）１〜３０個の炭素原子、および、１個またはそれより多い酸素、窒素、または、ケイ素原子を有する、非環式または環式の、飽和または不飽和の、分岐状または直鎖状のヘテロ原子を含む炭化水素部分、
ｉｉｉ）１〜３０個の炭素原子を有し、１個またはそれより多い芳香族炭化水素基を有する非環式または環式の、飽和または不飽和の、分岐状または直鎖状の炭化水素部分、
ｉｖ）１〜３０個の炭素原子、および、１個またはそれより多い酸素、窒素、または、ケイ素原子、および、１個またはそれより多い芳香族基を有する、非環式または環式の、飽和または不飽和の、分岐状または直鎖状のヘテロ原子を含む炭化水素部分、および、
ｖ）１〜３０個の炭素原子、および、１個またはそれより多い酸素、窒素、または、ケイ素原子を有し、さらに、１個またはそれより多い酸素、窒素、または、ケイ素基を含む１個またはそれより多いヘテロ環式芳香族基を有する、非環式または環式の、飽和または不飽和の、分岐状または直鎖状の、ヘテロ原子を含む炭化水素部分、
からなる群より選択される、４に記載の組成物。
［６］
Ｒは、アルキル、アルケニル、アルキニル、アリール、アルキルアリール、アリールアルキル、アルケニルアリール、アリールアルケニル、および、それらの混合物からなる群より選択され、これらは、場合により１〜３０個の炭素原子を有する、５に記載の組成物。
［７］
存在する前記置換基は、アニオン性の化学官能性を有する、２に記載の組成物。
［８］
前記アニオン性の化学官能基は、カルボキシレート、スルフェート、スルホナート、ホスファート、ホスホナート、および、それらの混合物からなる群より選択される、７に記載の組成物。
［９］
前記置換基は、カルボキシメチル、スルホエチル、ホスホノメチル、および、それらの混合物からなる群より選択される、７に記載の組成物。
［１０］
存在する前記置換基は、カチオン性の化学官能性を有する、２に記載の組成物。
［１１］
前記置換基は、式Ｒ１Ｒ２Ｒ３Ｒ４Ｎ＋（Ａ−）を有し、式中、
Ｒ１は、−ＣＨ２−ＣＨＯＨ−ＣＨ２−、または、−ＣＨ２−ＣＨ２−であり、
Ｒ２、Ｒ３、Ｒ４は、それぞれ独立して、１〜２０個の炭素原子を有するアルキルまたはアリールアルキル基からなる群より選択され、および、
Ａ−は、ハロゲン化物、スルフェート、ホスファート、または、テトラフルオロボラートである、１０に記載の組成物。
［１２］
前記置換基は、
２−ヒドロキシプロピルトリメチルアンモニウム塩化物、２−ヒドロキシプロピルドデシルジメチルアンモニウム塩化物、２−ヒドロキシプロピルココアルキルジメチルアンモニウム塩化物、２−ヒドロキシプロピルオクタデシルジメチルアンモニウム塩化物、および、それらの混合物からなる群より選択される、１１に記載の組成物。
［１３］
前記カチオン性基は、ＨＥＣ組成物をジアリルジメチルアンモニウム塩化物でグラフト反応させることによって誘導される１０に記載の組成物。
［１４］
前記修飾されたヒドロキシエチルセルロースは、メチルヒドロキシエチルセルロース、エチルヒドロキシエチルセルロース、オクチルヒドロキシエチルセルロース、セチルヒドロキシエチルセルロース、セトキシ−２−ヒドロキシプロピルヒドロキシエチルセルロース、ブトキシ−２−ヒドロキシプロピルヒドロキシエチルセルロース、ブトキシ−２−ヒドロキシプロピルセチルヒドロキシエチルセルロース、ブトキシ−２−ヒドロキシプロピルセトキシ−２−ヒドロキシエチルセルロース、カルボキシメチルヒドロキシエチルセルロース、カルボキシメチルエチルヒドロキシエチルセルロース、カルボキシメチルオクチルヒドロキシエチルセルロース、カルボキシメチルセチルヒドロキシエチルセルロース、カルボキシメチルセトキシ−２−ヒドロキシプロピルセルロース、カルボキシメチルブトキシ−２−ヒドロキシエチルセルロース、スルホエチルヒドロキシエチルセルロース、スルホエチルエチルヒドロキシエチルセルロース、スルホエチルセチルヒドロキシエチルセルロース、スルホエチルセトキシ−２−ヒドロキシプロピルセルロース、２−ヒドロキシプロピルトリメチルアンモニウム塩化物−ヒドロキシエチルセルロース、２−ヒドロキシプロピルトリメチルアンモニウム塩化物−エチルヒドロキシエチルセルロース、２−ヒドロキシプロピルトリメチルアンモニウム塩化物−ブトキシ−２−ヒドロキシプロピルヒドロキシエチルセルロース、２−ヒドロキシプロピルトリメチルアンモニウム塩化物−オクチルヒドロキシエチルセルロース２−ヒドロキシプロピルトリメチルアンモニウム塩化物−セチルヒドロキシエチルセルロース、２−ヒドロキシプロピルトリメチルアンモニウム塩化物−セトキシ−２−ヒドロキシプロピルヒドロキシエチルセルロース、２−ヒドロキシプロピルラウリルジメチルアンモニウム塩化物−ヒドロキシエチルセルロース、２−ヒドロキシプロピルトリメチルアンモニウム塩化物−２−ヒドロキシプロピルラウリルジメチルアンモニウム塩化物−ヒドロキシエチルセルロース、ジアリルジメチルアンモニウム塩化物−ヒドロキシエチルセルロースグラフトコポリマー、および、ジアリルジメチルアンモニウム塩化物−セチルヒドロキシエチルセルロースグラフトコポリマーからなる群より選択される、２に記載の組成物。
［１５］
前記非置換の三量体の比率（Ｕ３Ｒ）が０．２３５より大きい、１に記載の組成物。
［１６］
前記ヒドロキシエチルのモル置換度が、約１．３より大きく、約４．０未満である、１に記載の組成物。
［１７］
１に記載のヒドロキシエチルセルロース組成物を製造するためのスラリー法であって：
Ａ）セルロース、水および塩基試薬を混合して、それらを有機溶媒中で十分な時間および十分な温度で反応させ、第一の塩基試薬セルロース混合物を形成すること、ここで、水の無水グルコース（ＡＧＵ）に対するモル比は、約５〜３５の範囲であり、（ａ）塩基試薬のＡＧＵに対するモル比は、約１．６より大きいか、または、（ｂ）塩基試薬のＡＧＵに対するモル比は、約０．４未満であり、
Ｂ）（ｉ）工程Ａにおいて（ａ）が適用される場合、塩基試薬濃度を減少させるために、塩基試薬のＡＧＵに対するモル比を約０．６以上にするのに十分な量の酸を添加して、第二の塩基試薬セルロース混合物を形成するか、または、
（ｉｉ）工程Ａにおいて（ｂ）が適用される場合、１．３未満のヒドロキシエチルのモル置換度を有するＨＥＣ生成物を形成するのに十分なエチレンオキシドを添加し、十分な温度、十分な時間で反応させ、続いて、追加の塩基試薬を添加して、塩基試薬のＡＧＵに対するモル比を約１．０より高い値に調節し、塩基試薬ＨＥＣ混合物を形成し、および、
Ｃ）続いて、Ｂ（ｉ）からの第二の塩基試薬セルロース混合物に、または、Ｂ（ｉｉ）からの塩基試薬ＨＥＣセルロース混合物に、十分な量のエチレンオキシドを添加し、それらを十分な温度および十分な時間反応させ、最終的なＨＥＣ組成物を形成すること、
を含む、上記スラリー法。
［１８］
前記有機溶媒は、エタノール、イソプロパノール、ｔｅｒｔ−ブタノール、アセトン、メチルエチルケトン、および、ジメトキシエタン、および、それらの混合物からなる群より選択される、１７に記載のスラリー法。
［１９］
前記塩基は、水酸化リチウム、水酸化ナトリウム、水酸化カリウム、および、それらの混合物からなる群より選択されるアルカリである、１７に記載のスラリー法。
［２０］
前記セルロースは、コットンリンター、木材パルプ、および、それらの混合物からなる群より選択される、１７に記載のスラリー法。
［２１］
前記ＨＥＣ組成物を、少なくとも１種のその他の誘導体化試薬とさらに反応させ、修飾されたヒドロキシエチルセルロース組成物を形成する、１７に記載のスラリー法。
［２２］
前記誘導体化試薬は、非イオン性、カチオン性、アニオン性有機化合物、および、それらの混合物からなる群より選択される、２１に記載のスラリー法。
［２３］
前記有機化合物は、ハロゲン化物、エポキシド、グリシジルエーテル、カルボン酸s、イソシアネート、および、それらの混合物からなる群より選択される、２２に記載のスラリー法。
［２４］
前記ＨＥＣまたは修飾ＨＥＣ組成物はさらに、粘度低下剤と反応させる、１７または２１に記載のスラリー法。
［２５］
前記粘度低下剤は、過酸化物、過硫酸塩、過酸、セルロース分解酵素、オキソ酸のハロゲン化物の塩、酸素、および、オゾンからなる群より選択される、２４に記載のスラリー法。
［２６］
ａ）パーソナルケア組成物、家庭用ケア組成物、医薬組成物、建築用組成物、乳化重合のための組成物、油田施設用の流体組成物、土木施設用の流体組成物、紙塗工用組成物、製紙用組成物、建築用塗料組成物、工業塗料組成物、印刷用インク組成物、接着剤組成物、ならびに、選鉱および回収のための組成物からなる群より選択される機能的な系、および、ｂ）１に記載のヒドロキシエチルセルロース（ＨＥＣ）、または、２に記載の修飾されたヒドロキシエチルセルロースを含む組成物。
［２７］
前記機能的な系は、水性の建築用塗料または工業塗料組成物である、２６に記載の組成物。
［２８］
ラテックス、アルキド樹脂、ウレタン樹脂、シリコーン樹脂、および、エポキシ樹脂からなる群より選択される結合剤をさらに含む、２７に記載のコーティング組成物。
［２９］
前記機能的な系は、コンクリート、タイルセメント、および、接着剤、しっくい、化粧しっくい、モルタル、水中コンクリート、ジョイントコンパウンドまたはセメント、ひび割れ充填材、床用定規モルタル、および、貼り付けモルタルからなる群より選択される建築または建設資材用組成物である、２６に記載の組成物。
［３０］
前記建築または建設資材用組成物は、ジョイントコンパウンドまたはセメントである、２９に記載の組成物。
［３１］
前記ジョイントコンパウンドまたはセメントは、約０．５未満％の粘土を含む、３０に記載の組成物。
［３２］
前記機能的な系は、パーソナルケア組成物である、２６に記載の組成物。
［３３］
前記パーソナルケア組成物は、スキンケア、ヘアケア、口腔ケア、ネイルケア、および、個人用衛生用品からなる群より選択される、３２に記載の組成物。
［３４］
前記機能的な系は、家庭用ケア組成物である、２６に記載の組成物。
［３５］
前記家庭用ケア組成物は、ファブリックケア、ランドリー用洗浄剤、硬質表面洗浄剤、業務用液体石鹸、および、食器洗い用洗剤からなる群より選択される、３４に記載の組成物。
［３６］
前記機能的な系は、油田施設用の流体組成物である、２６に記載の組成物。
［３７］
前記油田施設用の流体組成物は、掘削泥水、仕上げ流体または改修流体、破砕流体、および、油井のセメンチング用流体からなる群より選択される、３６に記載の組成物。
［３８］
前記機能的な系は、紙塗工用組成物である、２６に記載の組成物。
［３９］
前記機能的な系は、製紙用組成物である、２６に記載の組成物。
［４０］
前記機能的な系は、医薬組成物である、２６に記載の組成物。
［４１］
前記医薬組成物は、錠剤、カプセルおよび顆粒からなる形態から選択される、４０に記載の組成物。
［４２］
前記組成物は、賦形剤として用いられる、４０に記載の組成物。